(57)【要約】【課題】製作容易で安価であり形状も伝統的な扇子に類似して強度も確保できる紙製扇子を提供する。【解決手段】長方形厚紙を幅中央で二つ折りして貼り合わせて左右２本の親骨を形成し、扇状紙を等分割に複数回折り曲げて蛇腹構造の扇面紙とし両端分割片を親骨に貼り付ける。細長形状の厚紙で複数個の中骨を形成し、各先端部を扇面紙の一つおきの分割片裏面下部に貼り付ける。各中骨と貼り合わせた右親骨の基端部に孔を設け、左親骨には表側になる紙片の基端部にのみ孔を設ける。左親骨の貼り合わせ前に該親骨の上に中骨と右親骨とを孔を連通させて重ね合わせ、頭部が孔径より大きく下側に短い細長２本脚をもつ要材を挿通させて脚先端側を開脚折り曲げし、折り曲げた２本脚を挟み込んだ状態で左親骨の貼り合わせを行なう。【選択図】図３
2011115363.tif 000002
【特許請求の範囲】
【請求項１】
左右２本の親骨の間に複数本の中骨で支持した扇面紙を張り渡して各親骨、中骨の基端部を要材で軸止した紙製扇子であって、
前記左右の親骨は長方形厚紙を幅中央で二つ折りして貼り合わせて形成してあり、
前記扇面紙は扇状紙を等分割に複数回、山折り、谷折りした蛇腹構造で、その両端分割片は前記左右の親骨に貼り付けてあり、
前記各中骨は厚紙で細長形状に形成したもので、その先端部は前記扇面紙の左端分割片から一つおきの分割片の裏面下部に貼り付けてあり、
前記各中骨並びに開いた状態で右側となる貼り合わせた右親骨の基端部には要材を通す孔が設けてあり、左親骨には開いた状態で表側となる紙片の基端部にのみ孔が設けてあり、
前記要材は金属又はプラスチックを用いて頭部が前記孔の径より大きく、頭部下側に短い細長形状の２本脚を形成したもので、前記左親骨の前記貼り合わせを行なう前に該親骨の上に前記複数本の中骨と右親骨とを前記孔を連通させた状態で重ね合わせ、連通させた孔に該２本脚を挿通させて先端側を開脚折り曲げすることにより回動軸となし、
前記左親骨は該開脚折り曲げした２本脚を挟み込んだ状態で貼り合わせてあることを特徴とする。
【請求項２】
左右２本の親骨の間に複数本の中骨で支持した扇面紙を張り渡して各親骨、中骨の基端部を要材で軸止した紙製扇子であって、
前記左右の親骨は長方形厚紙を幅中央で二つ折りして貼り合わせて形成してあり、
前記扇面紙は扇状紙を等分割に複数回、山折り、谷折りした蛇腹構造で、その両端分割片は左右の親骨に貼り付けてあり、
前記各中骨は厚紙で細長形状に形成したもので、その先端部は前記扇面紙の左端分割片から一つおきの分割片の裏面下部に貼り付けてあり、
前記各中骨並びに前記左右親骨の二つ折りした厚紙の片側紙片の基端部には前記要材を通す孔が設けてあり、
前記要材は短い紙紐で形成され、前記左右親骨の前記貼り合わせを行なう前に左親骨、複数本の中骨、右親骨をこの順に前記各孔を連通させた状態で重ね合わせ、連通させた孔に該紙紐を挿通して両端部を各親骨の孔周辺に接着固定して回動軸となし、
前記左右親骨は該接着固定した両端部を挟み込んだ状態で貼り合わせてあることを特徴とする。
【請求項３】
左右２本の親骨の間に複数本の中骨で支持した扇面紙を張り渡して各親骨、中骨の基端部を要材で軸止した紙製扇子であって、
前記左右の親骨は長方形厚紙を幅中央で二つ折りして貼り合わせて形成してあり、
前記扇面紙は扇状紙を等分割に複数回、山折り、谷折りした蛇腹構造で、その両端分割片は左右の親骨に貼り付けてあり、
前記各中骨は厚紙で細長形状に形成したもので、その先端部は前記扇面紙の左端分割片から一つおきの分割片の裏面下部に貼り付けてあり、
前記各中骨並びに前記貼り合わせた左右親骨の基端部には要材を通す孔が設けてあり、
前記要材は環状鍔を有する円筒状の鳩目雄体と該円筒状部に嵌合し得る開口部を有する鳩目雌体とからなる金属又はプラスチック製の鳩目で構成され、前記左親骨、複数本の中骨、右親骨をこの順に前記各孔を連通させた状態で重ね合わせ、連通させた孔に前記鳩目雄体の円筒状部を挿通させ、反対側から鳩目雌体を嵌合させて円筒状部先端を金属製の場合は拡開、プラスチック製の場合は加熱溶融して固定させることにより回動軸としてあることを特徴とする。
【発明の詳細な説明】
【技術分野】
【０００１】
本発明は広告宣伝用の配布品や景品として好適な安価で製作容易な紙製扇子に関する。
【背景技術】
【０００２】
一般的な扇子は、竹又は木製の一対の親骨、複数の中骨、蛇腹状に折り畳んだ扇面紙、中骨と親骨の基端部を軸止させる要材からなる。扇面紙は芯紙の両面に表紙、裏紙を貼り合わせたもので芯紙には扇面を支持する中骨が差し込まれる。一般的な扇子はこうした部品を精度良く組み立てて製作されるため見栄えがよい反面、製作に手間とコストがかかる。
【０００３】
一方、扇子には実用目的の他に広告を印刷して商品宣伝用に配布する宣伝媒体や景品としてのニーズもある。こうしたニーズに応える扇子は低コストで製作容易でなければならないことから、従来より紙製の扇子が各種提案されている（特許文献１〜４参照）。しかし、従来の紙製扇子は形状が伝統的な扇子とかなり相違していたり強度が不足していたりするものが多い。例えば、特許文献１には扇形状の紙を複数に等分割して折り畳み、扇形の中心角部を挟んだ両辺部を二重に重ねて親骨とした扇子が提案されている。しかし、扇面の紙は薄いためその紙を二重に重ねただけの親骨では実用面での強度が不足する。
【先行技術文献】
【特許文献】
【０００４】
【特許文献１】特開２００３−５２４３３号公報
【特許文献１】特開２００７−３０１３３０公報
【特許文献１】実公平０８−３２９１号公報
【特許文献１】実開平０７−７５１８号公報
【発明の概要】
【発明が解決しようとする課題】
【０００５】
本発明は、従来技術のこうした問題点を解決するためになされたもので、その課題は低コスト且つ製作容易であり、形状は伝統的な扇子に類似し、強度も確保できる紙製扇子を提供することにある。
【課題を解決するための手段】
【０００６】
前記課題を解決するための請求項１に記載の発明は、左右２本の親骨の間に複数本の中骨で支持した扇面紙を張り渡して各親骨、中骨の基端部を要材で軸止した紙製扇子であって、左右の親骨は長方形厚紙を幅中央で二つ折りして貼り合わせて形成してあり、扇面紙は扇状紙を等分割に複数回、山折り、谷折りした蛇腹構造で、その両端分割片は左右の親骨に貼り付けてあり、各中骨は厚紙で細長形状に形成したもので、その先端部は扇面紙の左端分割片から一つおきの分割片の裏面下部に貼り付けてあり、各中骨並びに開いた状態で右側となる貼り合わせた右親骨の基端部には要材を通す孔が設けてあり、左親骨には開いた状態で表側となる紙片の基端部にのみ孔が設けてあり、要材は金属又はプラスチックを用いて頭部が孔の径より大きく、頭部下側に短い細長形状の２本脚を形成したもので、左親骨の貼り合わせを行なう前に該親骨の上に複数本の中骨と右親骨とを孔を連通させた状態で重ね合わせ、連通させた孔に該２本脚を挿通させて先端側を開脚折り曲げすることにより回動軸となし、左親骨は該開脚折り曲げした２本脚を挟み込んだ状態で貼り合わせてあることを特徴とする。
【０００７】
このような構成の紙製扇子は、要材を除く部品に紙を使用するため材料費が安く製作も容易であることから低コストで製作できる。また、２本の親骨に強度のある厚紙を使用することで強度を確保でき、全体の形状も伝統的な扇子の形状に類似していて見栄えがよい利点を有する。
【０００８】
また、請求項２に記載の発明は、左右２本の親骨の間に複数本の中骨で支持した扇面紙を張り渡して各親骨、中骨の基端部を要材で軸止した紙製扇子であって、左右の親骨は長方形厚紙を幅中央で二つ折りして貼り合わせて形成してあり、扇面紙は扇状紙を等分割に複数回、山折り、谷折りした蛇腹構造で、その両端分割片は左右の親骨に貼り付けてあり、各中骨は厚紙で細長形状に形成したもので、その先端部は扇面紙の左端分割片から一つおきの分割片の裏面下部に貼り付けてあり、各中骨並びに左右親骨の二つ折りした厚紙の片側紙片の基端部には要材を通す孔が設けてあり、要材は短い紙紐で形成され、左右親骨の貼り合わせを行なう前に左親骨、複数本の中骨、右親骨をこの順に各孔を連通させた状態で重ね合わせ、連通させた孔に該紙紐を挿通して両端部を各親骨の孔周辺に接着固定して回動軸となし、左右親骨は該接着固定した両端部を挟み込んだ状態で貼り合わせてあることを特徴とする。
【０００９】
このような構成の紙製扇子、要材を含む全部品を紙で製作するため材料費が安く製作も容易であることから低コストで製作できる。２本の親骨に強度のある厚紙を使用することで強度も確保できる。要部分が外面に表れない。全体の形状が伝統的な扇子の形状に類似していて見栄えがよい利点を有する。
【００１０】
また、請求項３に記載の発明は、左右２本の親骨の間に複数本の中骨で支持した扇面紙を張り渡して各親骨、中骨の基端部を要材で軸止した紙製扇子であって、左右の親骨は長方形厚紙を幅中央で二つ折りして貼り合わせて形成してあり、扇面紙は扇状紙を等分割に複数回、山折り、谷折りした蛇腹構造で、その両端分割片は左右の親骨に貼り付けてあり、各中骨は厚紙で細長形状に形成したもので、その先端部は扇面紙の左端分割片から一つおきの分割片の裏面下部に貼り付けてあり、各中骨並びに貼り合わせた左右親骨の基端部には要材を通す孔が設けてあり、要材は環状鍔を有する円筒状の鳩目雄体と該円筒状部に嵌合し得る開口部を有する鳩目雌体とからなる金属又はプラスチック製の鳩目で構成され、左親骨、複数本の中骨、右親骨をこの順に各孔を連通させた状態で重ね合わせ、連通させた孔に鳩目雄体の円筒状部を挿通させ、反対側から鳩目雌体を嵌合させて円筒状部先端を金属製の場合は拡開、プラスチック製の場合は加熱溶融して固定させることにより回動軸としてあることを特徴とする。
【００１１】
このような構成の紙製扇子も、要材を除く部品に紙を使用するため材料費が安く製作も容易であることから低コストで製作できる。また、２本の親骨に強度のある厚紙を使用することで強度を確保でき、全体の形状も伝統的な扇子の形状に類似していて見栄えがよい利点を有する。
【図面の簡単な説明】
【００１２】
【図１】第１の実施形態に係る紙製扇子１を開いた状態の正面（表側）図である。
【図２】紙製扇子１を開いた状態の背面（裏側）図である。
【図３】紙製扇子１を分解して示す全部品図である。
【図４】右親骨２と左親骨３の展開図である。
【図５】要材６の外形図である。
【図６】紙製扇子１の骨部の組立て方を説明する図である。
【図７】紙製扇子１の骨組みの展開図である。
【図８】第２の実施形態に係る紙製扇子１ａの骨組みの展開図である。
【図９】鳩目１２の外観図である。
【図１０】第３の実施形態に係る紙製扇子１ｂの組立て方を説明する図である。
【発明を実施するための形態】
【００１３】
以下、本発明に係る紙製扇子の構成例を実施形態に分けて説明する。
（第１の実施形態）
図１は本実施形態の紙製扇子１を開いた状態の正面（表側）図、図２は背面（裏側）図、図３は分解して示した全部品図である。図３に示すように紙製扇子１は、開いた状態で右端に位置する右親骨２、左端に位置する左親骨３、扇面紙４、複数本の中骨５、要材６とで構成される。
【００１４】
要材６以外の他の部品はすべて紙で形成してある。図４の（１）は右親骨２の展開図である。厚紙を長方形状に切断して幅中央で二つ折りして重ね合わせ、合わせ面を接着剤で貼り合わせる。その基端部には貼り合わせた状態で要材６を通す孔７が形成してある。図４の（２）は左親骨３の展開図である。厚紙を右親骨２と同じ長方形状に切断して幅中央で二つ折りして重ね合わせ、合わせ面を接着剤で貼り合わせる。基端部の孔７は右親骨２と異なり、扇子１を図１のように開いた状態で表側になる紙片にのみ形成してある。
【００１５】
扇面紙４は扇状紙を等分割に複数回、山折り、谷折りして折り目をつけ、蛇腹構造にしてある。中骨５は厚紙を細長形状に切断して形成してある。先端部分は少し幅狭に形成してあり、基端部には貼り合わせた状態で要材６を通す孔７が形成してある。中骨５の本数は４〜６本が適当である。扇面紙４の分割片の個数は、中骨５の本数の２倍に３を加えた数にしてある。
【００１６】
要材６は金属薄板を用いて製作してある。最初に金属薄板を図５の（１）に示すような中央に丸形部８、その左右に細長部を有する形に打ち抜く。丸形部８の径は要材６を通す孔７の径より大きくし、前記打ち抜きの際に中央部が凸となる形状に形成する。次に、左右の細長部を図５の（２）に示すように丸形部の下方に折り曲げて脚９としてある。なお、このような形状の要材６を金属薄板の代わりにプラスチックで製作してもよい。
【００１７】
次に、これらの部品を用いた扇子１の組み立て方について説明する。右親骨２は合わせ面の接着を済ませておく。左親骨３は接着しない状態にしておく。左親骨３は孔７のある片３ａが開いた状態の扇子１の表側に、孔７のない片３ｂが開いた状態の扇子１の裏側になるように使用する。孔７のある片３ａの外側面（接着した状態で外側となる面）の上に複数本の中骨５、右親骨２を孔７の位置を一致させた状態で重ね合わせる。重ね合わせで連通状態となった孔７に右親骨２側から要材６の脚９を図６に示すように挿入し、左親骨３の孔７から突出した脚９を開脚折り曲げする。折り曲げは重ねた左親骨３、複数本の中骨５、右親骨２の基端部を締めつけるようにして行なう。
【００１８】
次に、左親骨３の開脚折り曲げした脚９を間に挟んだ状態で左親骨３の合わせ面を接着剤で貼り合わせ、扇子１の骨組みを完成させる。次に、完成した骨組みを図７に示すように広げて扇面紙４の貼り付けを行なう。扇面紙４は広げてその左端分割片４ｂを左親骨３の表側面に、右端分割片４ａを右親骨２の裏側面に貼り付ける。続いて、各中骨５の先端部を図２に示すように扇面紙４の裏側下部に貼り付ける。貼り付けは扇面紙４の裏側面の左端分割片から一つおきの分割片に対して行なう。以上により紙製扇子１が完成する。
【００１９】
本実施形態の紙製扇子１は要材６を除く部品に紙を使用するため材料費が安く、製作も容易である。従って、低コストで製作できる。２本の親骨２、３に強度のある厚紙を使用することで強度も確保できる。また、全体の形状が伝統的な扇子の形状に類似していて見栄えがよい利点を有する。
【００２０】
（第２の実施形態）
第１の実施形態では要材６として図５に示した形状の金属製又はプラスチック製の部品を使用した。本実施形態の紙製扇子１ａは、それらに代えて紙紐１１を使用したものであり、図８にその骨組を示す。右親骨２の基端部の孔７は、第１の実施形態における左親骨３と同様に片側の紙片にのみ形成してある。それら以外の部品の形状は図３に示した第１の実施形態のものと同じである。
【００２１】
右親骨２、左親骨３は貼り合わせ面を接着しない状態にしておく。そして、第１の実施形態の場合と同様に、左親骨３の孔７のある片３ａの外側面（接着した状態で外側となる面）の上に複数本の中骨５、右親骨２を孔７の位置を一致させた状態で重ね合わせる。次に、重ね合わせで連通状態となった孔７に断面偏平な短い紙紐１１を挿通する。そして、重ねた右親骨２、複数本の中骨５、左親骨３の基端部を緩く締めつけた状態にして紙紐１１の両端を折り曲げ、右親骨２、左親骨３の孔７周辺に接着固定する。図８は紙紐１１の端部を右親骨２の孔７周辺に接着固定した状態を示す。左親骨３側も同様に接着固定する。
【００２２】
次に、紙紐１１の接着固定した端部を挟み込んだ状態で右親骨２、左親骨３の貼り合わせを行ない扇子１ａの骨組みを完成させる。最後に骨組みを広げて扇面紙４の貼り付けを行ない扇子１ａを完成させる。
【００２３】
本実施形態の紙製扇子１ａは要材６を含む全部品を紙で製作するため材料費が安く、製作も容易である。従って、低コストで製作できる。２本の親骨２、３に強度のある厚紙を使用することで強度も確保できる。要部分は外面に表れない。全体の形状が伝統的な扇子の形状に類似していて見栄えがよい利点を有する。
【００２４】
（第３の実施形態）
本実施形態の紙製扇子１ｂは、要材６として鳩目１２を使用したものである。図９は使用する鳩目１２の外観である。鳩目１２は鳩目雄体１２ａと鳩目雌体１２ｂとで構成される。鳩目雄体１２ａは円筒状部１３の一方の縁に環状鍔１４を設けたものである。鳩目雌体１２ｂは、鳩目雄体１２ａの円筒状部１３に嵌合し得る開口部を有する環状体である。右親骨２、左親骨３の基端部の孔７は両側の紙片に形成してある。貼り合わせは済ませておく。それら以外の部品の形状は図３に示した第１の実施形態のものと同じである。
【００２５】
組立ては、左親骨３、複数本の中骨５、右親骨２の順に孔７の位置を一致させた状態で重ね合わせる。次に、図１０に示すよう重ね合わせで連通状態となった孔７の一方から鳩目雄体１２ａの円筒状部１３を挿通させ、反対側から鳩目雌体１２ｂを嵌合させて円筒状部１３に固定させる。固定は、金属製鳩目の場合は円筒状部１３の先端をかしめ工具を使用して拡開して行なう。プラスチック製鳩目の場合は円筒状部１３の先端を加熱溶融して鳩目雌体１２ｂに溶着させる。次に出来上がった骨組みを広げて扇面紙４の貼り付けを行ない扇子１ｂを完成させる。鳩目は硬く締めつけることなく左親骨３、複数本の中骨５、右親骨２が回動可能な状態に緩めに取り付ける。
【００２６】
本実施形態の紙製扇子１ｂは、要材６を除く部品に紙を使用するため材料費が安く製作も容易であることから低コストで製作できる。また、２本の親骨に強度のある厚紙を使用することで強度を確保でき、全体の形状も伝統的な扇子の形状に類似していて見栄えがよい利点を有する。
【符号の説明】
【００２７】
図面中、１、１ａ、１ｂは紙製扇子、２は右親骨、３は左親骨、４は扇面紙、５は中骨、６は要材、７は孔、９は脚、１１は紙紐、１２は鳩目、１２ａは鳩目雄体、１２ｂは鳩目雌体示す。
【図１】
2011115363.tif 000003
【図２】
2011115363.tif 000004
【図３】
2011115363.tif 000005
【図４】
2011115363.tif 000006
【図５】
2011115363.tif 000007
【図６】
2011115363.tif 000008
【図７】
2011115363.tif 000009
【図８】
2011115363.tif 000010
【図９】
2011115363.tif 000011
【図１０】
2011115363.tif 000012